(57)【特許請求の範囲】
【請求項１】
トップガイドの後部に位置する第１中間ガイドから元ガイドまでのガイドリングの最小内口径を、各ガイド取付部の竿管の外径以下にすると共に、釣竿全長の１／２より前方に、少なくとも５個以上のガイドを竿管外側の所定位置に配設し、前記元ガイドから第１中間ガイドまでのガイドの最下部高さを順次低くしたことを特徴とする投竿。
【発明の詳細な説明】
【０００１】
【発明の属する技術分野】
本発明は、釣糸を案内する外ガイドを備えた投竿に関する。
【０００２】
【従来の技術】
従来から、仕掛けの飛距離を向上するため、釣糸が挿通するガイドリングを備えたガイド（外ガイド）について様々な工夫を施した投竿が知られている。例えば、特開平８−２９４３４４号公報には、所定位置のガイドから元ガイドまでの第１中間ガイド群と、前記所定位置のガイドからトップガイドまでの第２中間ガイド群を形成した投竿が開示されている。
【０００３】
この公知の投竿のように、従来の投竿におけるガイドの配設は、元ガイドからトップガイドに向かって次第にガイドリングの内口径を小さくするのが一般的である。そして、この場合、リールから放出される釣糸が竿管に当たり難いようにできるだけ離れた位置にガイドリングを位置させたり（ガイドリングに高い足を設ける）、あるいは、ガイドリングと釣糸との抵抗を少なくするため、ガイドリングの内口径をできるだけ大きくしている。
【０００４】
【発明が解決しようとする課題】
しかし、ガイドの位置（ガイドリングの位置）が竿管から離れていると（ガイドの足が高いと）、仕掛けの投擲時に釣糸がリングの内周面に当たって、釣竿に回転方向の力（ねじりトルク）が作用し、投擲する仕掛けの方向性が安定し難くなるばかりか、魚が掛かった際にも、釣糸がリングの内周面に当たって釣竿に回転方向の力が大きく作用し、しなりのバランスが低下してしまう。
【０００５】
また、上記ガイドリングの内口径が大きいと、仕掛けの投擲時に釣糸のブレが大きくなり、投擲する仕掛けの方向性が安定し難くなる。
【０００６】
本発明は、上記問題点に着目して成されたものであり、仕掛けの投擲時にその方向性の安定を図ると共に、投擲時や魚が掛かった際のしなりバランスが向上した投竿を提供することを目的とする。
【０００７】
【課題を解決するための手段】
上記課題を解決するために、本発明の投竿は、トップガイドの後部に位置する第１中間ガイドから元ガイドまでのガイドリングの最小内口径を、各ガイド取付部の竿管の外径以下にすると共に、釣竿全長の１／２より前方に、少なくとも５個以上のガイドを竿管外側の所定位置に配設し、前記元ガイドから第１中間ガイドまでのガイドの最下部高さを順次低くしたことを特徴とする。
【０００８】
以上のように、第１中間ガイドから元ガイドまでのガイドリングの最小内口径を、各ガイド取付部の竿管の外径以下に設定して各ガイドリングの口径を小さくしているため、仕掛け投擲時の釣糸のブレが抑制されて糸抵抗が小さくなる。また、ガイドリングの内口径が小さいため、竿管からガイドリング内周面までの距離が相対的に短くなり、更に元ガイドから第１中間ガイドまでのガイドの最下部高さが順次低くなり、これによりねじりトルクの増大を防止でき、投擲時の方向の安定性、しなりバランスの向上が図れる。
【０００９】
【発明の実施の形態】
図１は、本発明の実施の形態に係る投竿の全体図である。投竿１は、例えば２０〜４０号の比較的重い錘を投擲したり、あるいは、比較的軽いルアー等の錘を投擲するのに適した構造となっている。投竿１は、元竿管１ａ，中竿管１ｂ，穂先竿管１ｃによって構成されており、各竿管は、例えばＦＲＰによって形成されている。この場合、前記中竿管の本数については複数本であっても良く、各竿管の継合部Ｐは、並継ぎ構造もしくは振り出し構造となっている。
【００１０】
投竿１には、穂先から順に、トップガイド３ａ、第１中間ガイド３ｂ、第２中間ガイド３ｃ、第３中間ガイド３ｄ、第４中間ガイド３ｅ、第５中間ガイド３ｆ、第６中間ガイド３ｇ、第７中間ガイド３ｈおよび元ガイド３ｉが装着されている。この場合、各ガイドが装着される位置は任意であり、装着されるガイドの個数については限定されることはない。また、元ガイド３ｉについては、図に示すように、中竿管に配置しても良い。
【００１１】
前記元竿管１ａには、リール１０を装着するリール装着装置１２、および握持保持しやすいように基端側にハンドル１５が設けられており、一方の手でハンドル１５を握持保持し、他方の手でリール装着装置部分を握持保持して投擲操作がなされる。この際、釣糸は、リール１０のスプールから螺旋状に繰り出され、各ガイドのガイドリングの内周面と接触しつつ、トップガイド３ａから導出して行く。
【００１２】
次に、図２を参照して、各竿管に取り付けられる前記ガイドの構造について説明する。ガイド３０は、釣糸が挿通する環状のガイドリング３１と、ガイドリング３１を保持し、竿管４０に装着される脚部３２を有している。脚部３２は竿管に沿うように延出部３２ａを有しており、この部分が、例えば糸巻き、糸止め、ビス等によって竿管４０に固定される。この場合、脚部３２は、図に示すような片足構造でも良いし、さらに穂先側に延出する延出部を有する両足構造でも良いが、図に示すように片足構造としておくことで、竿管のしなりを阻害することを防止でき、かつ釣糸の引掛かりを極力防止でき、投擲しやすく操作性の優れた投竿とすることができる。また、ガイドの軽量化が図れ、持ち重りを防止して、シャープに振れる投竿とすることができる。
【００１３】
前記ガイドリング３１の釣糸挿通部分の形状については限定されないが、円形状、楕円形状、略矩形状等で構成される。そして、ガイドリングの最小内口径をｄ（ここで最小内口径とは、リング状の最小の径部で釣糸のフレを効率良く防止することから、楕円のように長軸と短軸があるような構成の場合、短軸側を基準とする）、竿管表面からガイドリングの内周の最下部（長手方向においては、前記最小内口径が規定される位置）までの高さをｈ、ガイド取付位置における竿管の外径をＤとした場合、図１のように装着される各ガイドは、以下のように構成されている。
【００１４】
トップガイド３ａの後部に位置する第１中間ガイド３ｂから元ガイド３ｉまでの各ガイドのガイドリングの最小内口径ｄを、各ガイド取付部の竿管の外径Ｄ以下に設定し、釣竿全長の１／２より前方に、少なくとも５個以上のガイドを配設しておく。このようなガイドの配置及び構成とすることにより、仕掛け投擲時の釣糸のブレが抑制されて糸抵抗を小さくでき、また、各ガイドリングの内口径が小さくなることから、竿管からガイドの内周面までの距離が相対的に短くなり、これによりねじりトルクの増大を防止でき、投擲時の方向の安定性、竿全体のしなりバランスの向上が図れる。
【００１５】
なお、すべてのガイドが上記したＤ＞ｄの関係を満たすことが好ましいが、一部（例えば、トップガイド又はトップガイドと第１中間ガイド３ｂ，第２中間ガイド３ｃ等の位置）において逆転していても良い。
【００１６】
また、上記構成において、トップガイド３ａの最小内口径を、第１中間ガイド３ｂの最小内口径と略同径、具体的には全く同径か、あるいは±０．５ｍｍの範囲にしておくことが望ましい。このような構成とするのは、従来のトップガイドの最小内口径は、第１中間ガイドのそれよりも大きくしていたが、トップガイドの最小内口径を大きくするだけでは糸抵抗は減少しないため、むしろ、小型化、軽量化を図った方が持ち重りのしないシャープな調子の投竿とすることができるということに基づく。さらに、このような構成にすることで、竿先（トップガイド）に至るまでバランスのとれた投竿にすることができる。
【００１７】
また、上記した構成において、さらに、元ガイド３ｉのガイドリング内周の最下面部での高さｈを、元ガイド取付け位置の竿管外径寸法Ｄ以下にすると共に、元ガイド３ｉから第１中間ガイド３ｂまでの各ガイドの最下部高さ（前記ｈと同様に定義される）を順次低くすることが望ましい。このように構成することで、仕掛け投擲時のねじりトルクを確実に低減することができ、方向性が安定し、仕掛けの投擲時、あるいは魚が掛かった際にしなりバランスの向上が図れる。なお、最下部高さｈを低くしすぎると、釣糸が竿管表面に当たって抵抗となるため、１／２Ｄ以上にすることが好ましい。
【００１８】
図３は、ガイドの別の構成例を示す図である。このガイド５０は、ガイドリング５１の面（リング面）が穂先側に傾斜していると共に（竿管表面と傾斜したガイドリングとの角度をθとする）、竿管６０に装着される片足の脚部５２を有している。脚部５２は竿管に沿うように延出部５２ａを有しており、この部分が、例えば糸巻き、糸止め、ビス等によって竿管６０に固定される。しかし、移動可能又は分解可能に固定することもできる。
【００１９】
このように、ガイドリングが穂先側に傾斜したガイドを用いることで、釣糸が引掛かりにくくなり、また、引掛かっても効果的に解くことができる。なお、θは、糸通過性と、糸絡みのそれぞれの限度を考慮して、１０度〜６０度の範囲に設定しておくことが好ましい。そして、このように構成されたガイドは、図１に示す投竿のすべての中間ガイド３ｂ〜３ｈに用いても良いが、通常、釣糸は、実釣時において、穂先側のガイド部分（穂先から５０ｃｍ程度）で最も絡みやすいことから、穂先側の中間ガイドの少なくとも３個以上に適用することが望ましい。
【００２０】
また、図３に示すガイドにおいても、図２の構成と同様に、上述したＤ，ｄ，ｈの関係を満たすように構成することが好ましい。
【００２１】
次に、図１に示すような投竿１において、各竿管に装着される各ガイドの構成の具体例を以下の表１に示す。
【００２２】
【表１】
0003716131.tif 000002
【００２３】
上記した構成において、トップガイド及び第１中間ガイドから第６中間ガイドは、穂先竿管に配置することが望ましい。すなわち、釣竿の全長の１／２より前方に多数のガイドを配置することで、糸ブレが効果的に抑制されて、ねじりトルクの低減が図れ、操作性に優れた釣投竿にすることができる。また、第７中間ガイド及び元ガイドを中竿管に配設し、元竿管にガイドを配設しないことで、装着されたリールと元ガイドとの距離を長くすることができ、この結果、元ガイドへの釣糸導入角度が緩くなって釣糸とガイドとの抵抗が減ることから、仕掛けの飛距離の向上が図れる。また、元竿管にガイドを配設しないことで、釣糸の抵抗をより低減することができる
【００２４】
【発明の効果】
以上のように、本発明によれば、仕掛けの投擲時にその方向性の安定が図れ、また、仕掛けの投擲時や魚が掛かった際に、しなりバランスが向上した投竿とすることができる。
【図面の簡単な説明】
【図１】本発明の投竿の全体構成を示す図。
【図２】図１に示す投竿に装着されるガイドの構成例を示す図。
【図３】図１に示す投竿に装着されるガイドの別の構成例を示す図。
【符号の説明】
１…投竿
３ａ…トップガイド
３ｂ〜３ｈ…中間ガイド
３ｉ…元ガイド
３０，５０…ガイド
３１，５１…ガイドリング
４０，６０…竿管。
【図１】
0003716131.tif 000003
【図２】
0003716131.tif 000004
【図３】
0003716131.tif 000005